(57)【要約】【課題】さらなる小型化を図りつつ、発光素子で発生する熱に起因して発光素子の輝度や寿命が低下するのを抑制することが可能な光源装置を提供する。【解決手段】所定の波長領域の光を射出する発光素子としてのＬＥＤ１０と、ＬＥＤ１０を支持する支持基板２０と、支持基板２０におけるＬＥＤ１０が配置される側とは反対の面に配置され、ＬＥＤ１０が配置される側に向けて突出する複数のフィン３２を有するヒートシンク３０とを備える光源装置１１０。【選択図】図１
2008181776.tif 000002
【特許請求の範囲】
【請求項１】
所定の波長領域の光を射出する発光素子と、
前記発光素子を支持する支持基板と、
前記支持基板における前記発光素子が配置される側とは反対の面に配置され、前記発光素子が配置される側に向けて突出する複数のフィンを有するヒートシンクとを備えることを特徴とする光源装置。
【請求項２】
請求項１に記載の光源装置において、
前記ヒートシンクにおける各フィンは、前記発光素子に対して直接冷却風が当たることのないように配列されていることを特徴とする光源装置。
【請求項３】
請求項２に記載の光源装置において、
前記ヒートシンクは、前記複数のフィンによって形成される冷却風流路を覆うように、前記複数のフィンにおける被照明領域側に配置される熱伝導部材をさらに有することを特徴とする光源装置。
【請求項４】
請求項１〜３のいずれかに記載の光源装置において、
前記発光素子は、ＬＥＤ又はＬＤであることを特徴とする光源装置。
【請求項５】
請求項１〜４のいずれかに記載の光源装置と、
前記光源装置からの光を画像情報に応じて変調する電気光学変調装置と、
前記電気光学変調装置によって変調された光を投写する投写光学系とを備えることを特徴とするプロジェクタ。
【請求項６】
請求項５に記載のプロジェクタにおいて、
前記光源装置における前記複数のフィンによって形成される冷却風流路に風を送るファンをさらに備えることを特徴とするプロジェクタ。
【請求項７】
請求項６に記載のプロジェクタにおいて、
前記ファンは、ブロアファンであり、
前記冷却風流路に前記ブロアファンからの風を送る送風ダクトと、
前記冷却風流路を通過した風を排出する排気ダクトとをさらに備えることを特徴とするプロジェクタ。
【請求項８】
請求項６に記載のプロジェクタにおいて、
前記ファンは、軸流ファンであり、
前記冷却風流路に前記軸流ファンからの風を送る送風ダクトと、
前記冷却風流路を通過した風を排出する排気ダクトとをさらに備えることを特徴とするプロジェクタ。
【発明の詳細な説明】
【技術分野】
【０００１】
本発明は、光源装置及びプロジェクタに関する。
【背景技術】
【０００２】
従来、ＬＥＤ（発光ダイオード）の背面側（被照明領域とは反対側）にヒートシンクが配置された光源装置を備えるプロジェクタが知られている（例えば、特許文献１参照。）。ヒートシンクは、ＬＥＤからの放射光を遮らないようにＬＥＤとは反対側に向けて突出する複数のフィンを有する。
【０００３】
従来のプロジェクタによれば、ヒートシンクが配置されているため、ＬＥＤにおいて発生する熱を効率的に排除することが可能となる。その結果、ＬＥＤで発生する熱に起因してＬＥＤの輝度や寿命が低下するのを抑制することが可能となる。
また、従来のプロジェクタは、ＬＥＤを用いているため、高圧水銀ランプなどの光源ランプを用いたプロジェクタに比べて、小型のプロジェクタとなる。
【０００４】
【特許文献１】特開２００６−１４７７４４号公報
【発明の開示】
【発明が解決しようとする課題】
【０００５】
ところで、近年、光源装置及びプロジェクタをさらに小型化したいという要望がある。
【０００６】
しかしながら、従来のプロジェクタにおいては、ヒートシンクがＬＥＤの背面側（被照明領域とは反対側）に配置されているため、ヒートシンクのフィンの長さの分、光源装置のサイズが大きくなり、プロジェクタをさらに小型化するのは容易ではない。
【０００７】
この場合、ヒートシンクのフィンの長さを短くすることによってプロジェクタをさらに小型化することは可能であるが、ヒートシンクのフィンの長さが短いとヒートシンクによる放熱効果が低減してしまい、ＬＥＤで発生する熱に起因してＬＥＤの輝度や寿命が低下するのを抑制することが困難となる。
【０００８】
なお、このような問題は、ＬＥＤを用いた場合にのみ生じるわけではなく、ＬＤ（レーザダイオード）などの発光素子を用いた場合全般にわたって生じる問題である。
【０００９】
そこで、本発明は、このような問題を解決するためになされたもので、さらなる小型化を図りつつ、発光素子で発生する熱に起因して発光素子の輝度や寿命が低下するのを抑制することが可能な光源装置及びプロジェクタを提供することを目的とする。
【課題を解決するための手段】
【００１０】
本発明の光源装置は、所定の波長領域の光を射出する発光素子と、前記発光素子を支持する支持基板と、前記支持基板における前記発光素子が配置される側とは反対の面に配置され、前記発光素子が配置される側に向けて突出する複数のフィンを有するヒートシンクとを備えることを特徴とする。
【００１１】
このため、本発明の光源装置によれば、ヒートシンクにおける複数のフィンは、発光素子が配置される側に向けて突出しているため、フィンの長さがある程度長くなったとしても、光源装置全体のサイズとしてはそれほど大きくなることもない。
また、本発明の光源装置によれば、従来のようにフィンが背面側に向けて突出しているものではなく、発光素子が配置される側に向けて突出しているものであるため、フィンの長さを敢えて短くする必要がない。このため、放熱効果が低減することもなく、発光素子で発生する熱に起因して発光素子の輝度や寿命が低下するのを抑制することが可能となる。
したがって、本発明の光源装置は、さらなる小型化を図りつつ、発光素子で発生する熱に起因して発光素子の輝度や寿命が低下するのを抑制することが可能な光源装置となる。
【００１２】
なお、本発明の光源装置は、発光素子が配置される側の面に向けて複数のフィンが突出した構造を有するが、後述する図１に示すように、発光素子とは所定の間隔を空けてフィンを配設することにより、発光素子からの光が複数のフィンによって遮られることはなくなる。
【００１３】
本発明の光源装置においては、前記ヒートシンクにおける各フィンは、前記発光素子に対して直接冷却風が当たることのないように配列されていることが好ましい。
【００１４】
このように構成することにより、複数のフィンによって形成される冷却風流路を冷却風が通り抜ける際に、発光素子に対して直接冷却風が当たることがないため、発光素子の表面にホコリ等が付着するのを抑制することが可能となる。
【００１５】
本発明の光源装置においては、前記ヒートシンクは、前記複数のフィンによって形成される冷却風流路を覆うように、前記複数のフィンにおける被照明領域側に配置される熱伝導部材をさらに有することが好ましい。
【００１６】
このように構成することにより、冷却風が冷却風流路をスムーズに流れるようになるため、冷却効率を高くすることが可能となる。
【００１７】
本発明の光源装置においては、前記発光素子は、ＬＥＤ又はＬＤであることが好ましい。
【００１８】
このように構成することにより、さらなる小型化を図りつつ、ＬＥＤ又はＬＤで発生する熱に起因してＬＥＤ又はＬＤの輝度や寿命が低下するのを抑制することが可能な光源装置となる。
【００１９】
本発明のプロジェクタは、本発明の光源装置と、前記光源装置からの光を画像情報に応じて変調する電気光学変調装置と、前記電気光学変調装置によって変調された光を投写する投写光学系とを備えることを特徴とする。
【００２０】
このため、本発明のプロジェクタは、さらなる小型化を図りつつ、発光素子で発生する熱に起因して発光素子の輝度や寿命が低下するのを抑制することが可能なプロジェクタとなる。
【００２１】
本発明のプロジェクタにおいては、前記光源装置における前記複数のフィンによって形成される冷却風流路に風を送るファンをさらに備えることが好ましい。
【００２２】
このように構成することにより、光源装置内の温度を低減することができ、発光素子で発生する熱に起因して発光素子の輝度や寿命が低下するのをさらに抑制することが可能となる。
【００２３】
本発明のプロジェクタにおいては、前記ファンは、ブロアファンであり、前記冷却風流路に前記ブロアファンからの風を送る送風ダクトと、前記冷却風流路を通過した風を排出する排気ダクトとをさらに備えることが好ましい。
【００２４】
このように構成することにより、ブロアファンからの冷却風を効率よく光源装置に導くことが可能となるため、光源装置内の温度を低減することが可能となる。
【００２５】
本発明のプロジェクタにおいては、前記ファンは、軸流ファンであり、前記冷却風流路に前記軸流ファンからの風を送る送風ダクトと、前記冷却風流路を通過した風を排出する排気ダクトとをさらに備えることも好ましい。
【００２６】
このように構成することにより、軸流ファンからの冷却風を効率よく光源装置に導くことが可能となるため、光源装置内の温度を低減することが可能となる。
【発明を実施するための最良の形態】
【００２７】
以下、本発明の光源装置及びプロジェクタについて、図に示す実施の形態に基づいて説明する。
【００２８】
［実施形態１］
図１は、実施形態１に係る光源装置１１０及びプロジェクタ１０００を説明するために示す図である。図１（ａ）はプロジェクタ１０００の光学系を示す図であり、図１（ｂ）は光源装置１１０の正面図である。なお、図１（ａ）においては、ブロアファン７００、送風ダクト７１０及び排気ダクト７１２の図示を省略している。また、図１（ｂ）においては、ヒートシンク３０における熱伝導部材３４の図示を省略している。
【００２９】
なお、以下の説明においては、互いに直交する３つの方向をそれぞれｚ軸方向（図１（ａ）における光源装置１１０から射出される光の進行方向）、ｘ軸方向（図１（ａ）における紙面に平行かつｚ軸に直交する方向）及びｙ軸方向（図１（ａ）における紙面に垂直かつｚ軸に直交する方向）とする。
【００３０】
実施形態１に係るプロジェクタ１０００は、図１に示すように、光源装置１１０を有する照明装置１００と、照明装置１００からの光を画像情報に応じて変調する電気光学変調装置としてのマイクロミラー型光変調装置４００と、マイクロミラー型光変調装置４００によって変調された光をスクリーンＳＣＲ等の投写面に投写する投写光学系６００と、ブロアファン７００とを備えたプロジェクタである。
【００３１】
照明装置１００は、光源装置１１０と、光源装置１１０の光射出側に配置されるレンズ１２０と、ロッド１３０とを有する。
【００３２】
光源装置１１０は、所定の波長領域の光を射出する発光素子としてのＬＥＤ１０と、ＬＥＤ１０を支持する支持基板２０と、支持基板２０におけるＬＥＤ１０が配置される側とは反対の面に配置されるヒートシンク３０とを有する。
【００３３】
ＬＥＤ１０は、ここでは図示による詳細な説明は省略するが、赤色光、緑色光及び青色光をそれぞれ射出する複数のＬＥＤチップと、複数のＬＥＤチップからの光を前方（被照明領域側）に向けて反射するミラーと、ＬＥＤチップから延びる一対のボンディングワイヤと、光透過性のプラスチックモールドとを有する。ボンディングワイヤの端部は、支持基板２０上に形成される回路パターンに接続されている。
【００３４】
ＬＥＤ１０は、図示しない時分割駆動回路に接続されており、時分割駆動回路によってマイクロミラー型光変調装置４００に表示する画像の１フィールド内を３分割して各色ごとに複数のＬＥＤチップを時分割駆動している。
【００３５】
支持基板２０は、ＬＥＤ１０を支持する支持部材であり、例えばアルミニウムなどの金属板からなる。
【００３６】
ヒートシンク３０は、ＬＥＤ１０が配置される側に向けて突出する複数のフィン３２と、複数のフィン３２における被照明領域側に配置される熱伝導部材３４とを有する。複数のフィン３２によって、図１（ｂ）に示すようなｙ軸方向に沿う冷却風流路Ｆが形成される。熱伝導部材３４は、例えばアルミニウム板からなり、冷却風流路Ｆを覆うようにして配置される。
【００３７】
レンズ１２０は、ＬＥＤ１０から射出される発散光がロッド１３０に入射した際に全反射条件を満たすような角度成分を有する光（発散光）に変換して射出する角度変換素子としての機能を有する。
【００３８】
ロッド１３０は、光源装置１１０からの光を内面で多重反射させることにより、光源装置１１０からの光をより均一な強度分布を有する光に変換する機能を有する光学部材である。ロッド１３０は、例えば内面全反射タイプの中実のガラスロッドからなる。
【００３９】
リレー光学系３００は、リレーレンズ３１０と、反射ミラー３１２と、集光レンズ３１４とを有し、照明装置１００からの照明光束をマイクロミラー型光変調装置４００の画像形成領域に導く機能を有する。
【００４０】
リレーレンズ３１０は、集光レンズ３１４とともに、照明装置１００からの照明光束を発散させずにマイクロミラー型光変調装置４００の画像形成領域近傍に結像させる機能を有する。なお、リレーレンズ３１０は、複数のレンズを組み合わせた複合レンズで構成されていてもよい。
【００４１】
反射ミラー３１２は、照明装置１００のシステム光軸ＯＣに対して傾斜して配置され、リレーレンズ３１０からの照明光束を曲折し、マイクロミラー型光変調装置４００へと導光する。これにより、プロジェクタをコンパクトにすることができる。
【００４２】
集光レンズ３１４は、リレーレンズ３１０及び反射ミラー３１２からの照明光束をマイクロミラー型光変調装置４００の画像形成領域にほぼ重畳させ、かつ、マイクロミラー型光変調装置４００によって変調された光を投写光学系６００とともに拡大投写するものである。
【００４３】
マイクロミラー型光変調装置４００は、リレー光学系３００からの光を画像情報に応じて各画素に対応するマイクロミラーで反射することにより、画像を表す画像光を投写光学系６００へと射出する機能を有する反射方向制御型光変調装置である。マイクロミラー型光変調装置４００としては、例えば、ＤＭＤ（デジタルマイクロミラーデバイス）（ＴＩ社の商標）を用いることができる。
【００４４】
マイクロミラー型光変調装置４００から射出される画像光は、投写光学系６００によって拡大投写され、スクリーンＳＣＲ上で大画面画像を形成する。
【００４５】
光源装置１１０には、図１（ｂ）に示すように、冷却風流路Ｆにブロアファン７００からの風を送る送風ダクト７１０と、冷却風流路Ｆを通過した風を排出する排気ダクト７１２とが配設されている。プロジェクタ１０００の外部から取り込まれた空気は、ブロアファン７００及び送風ダクト７１０を通じて冷却風流路Ｆ内を通過した後、排気ダクト７１２を通じて最終的に外部へと排出される。
なお、ブロアファン７００は、光源装置１１０のみを冷却してもよいし、送風ダクト７１０及び排気ダクト７１２の構造を変更して光源装置１１０以外の他の装置も冷却してもよい。
【００４６】
以上のように構成された実施形態１に係る光源装置１１０によれば、ヒートシンク３０における複数のフィン３２は、ＬＥＤ１０が配置される側に向けて突出しているため、フィン３２の長さがある程度長くなったとしても、光源装置１１０全体のサイズとしてはそれほど大きくなることもない。
また、実施形態１に係る光源装置１１０によれば、従来のようにフィンが背面側に向けて突出しているものではなく、ＬＥＤ１０が配置される側に向けて突出しているものであるため、フィン３２の長さを敢えて短くする必要がない。このため、放熱効果が低減することもなく、ＬＥＤ１０で発生する熱に起因してＬＥＤ１０の輝度や寿命が低下するのを抑制することが可能となる。
したがって、実施形態１に係る光源装置１１０は、さらなる小型化を図りつつ、ＬＥＤ１０で発生する熱に起因してＬＥＤ１０の輝度や寿命が低下するのを抑制することが可能な光源装置となる。
【００４７】
なお、実施形態１に係る光源装置１１０は、ＬＥＤ１０が配置される側の面に向けて複数のフィン３２が突出した構造を有するが、図１に示すように、ＬＥＤ１０とは所定の間隔を空けてフィン３２が配設されているため、ＬＥＤ１０からの光が複数のフィン３２によって遮られることはない。
【００４８】
実施形態１に係る光源装置１１０においては、ヒートシンク３０における各フィン３２は、ＬＥＤ１０に対して直接冷却風が当たることのないように配列されている。これにより、複数のフィン３２によって形成される冷却風流路Ｆを冷却風が通り抜ける際に、ＬＥＤ１０に対して直接冷却風が当たることがないため、ＬＥＤ１０の表面（プラスチックモールドの表面）にホコリ等が付着するのを抑制することが可能となる。
【００４９】
実施形態１に係る光源装置１１０においては、ヒートシンク３０は、複数のフィン３２によって形成される冷却風流路Ｆを覆うように、複数のフィン３２における被照明領域側に配置される熱伝導部材３４をさらに有する。これにより、冷却風が冷却風流路Ｆをスムーズに流れるようになるため、冷却効率を高くすることが可能となる。
【００５０】
実施形態１に係るプロジェクタ１０００は、上述の光源装置１１０を備えるため、さらなる小型化を図りつつ、ＬＥＤで発生する熱に起因してＬＥＤの輝度や寿命が低下するのを抑制することが可能なプロジェクタとなる。
【００５１】
実施形態１に係るプロジェクタ１０００においては、光源装置１１０における複数のフィン３２によって形成される冷却風流路Ｆに風を送るブロアファン７００をさらに備えるため、光源装置１１０内の温度を低減することができ、ＬＥＤ１０で発生する熱に起因してＬＥＤ１０の輝度や寿命が低下するのをさらに抑制することが可能となる。
【００５２】
実施形態１に係るプロジェクタ１０００においては、冷却風流路Ｆにブロアファン７００からの風を送る送風ダクト７１０と、冷却風流路Ｆを通過した風を排出する排気ダクト７１２とをさらに備える。これにより、ブロアファン７００からの冷却風を効率よく光源装置１１０に導くことが可能となるため、光源装置１１０内の温度を低減することが可能となる。
【００５３】
［実施形態２］
図２は、実施形態２に係るプロジェクタ１００２における光源装置１１２を説明するために示す図である。図２（ａ）は光源装置１１２の正面図であり、図２（ｂ）は光源装置１１２の側面図である。なお、図２（ａ）においては、ヒートシンク４０における熱伝導部材４４の図示を省略している。また、図２において、図１と同一の部材については同一の符号を付し、詳細な説明は省略する。
【００５４】
実施形態２に係るプロジェクタ１００２（図示せず。）は、基本的には実施形態１に係るプロジェクタ１０００とよく似た構成を有するが、光源装置の構成及びファンの種類が、実施形態１に係るプロジェクタ１０００とは異なる。
【００５５】
すなわち、実施形態２に係るプロジェクタ１００２においては、図２に示すように、光源装置１１２は、ＬＥＤ１０と、支持基板２０と、支持基板２０におけるＬＥＤ１０が配置される側とは反対の面に配置されるヒートシンク４０とを有する。
【００５６】
ヒートシンク４０は、ＬＥＤ１０が配置される側に向けて突出する複数のフィン４２と、複数のフィン４２における被照明領域側に配置される熱伝導部材４４とを有する。複数のフィン４２によって、図２（ａ）に示すようなｘ軸方向に沿う冷却風流路Ｆが形成される。熱伝導部材４４は、冷却風流路Ｆを覆うようにして配置される。
なお、ＬＥＤ１０及び支持基板２０の構成については、実施形態１で説明したものと同様であるため、詳細な説明は省略する。
【００５７】
また、実施形態２に係るプロジェクタ１００２においては、ファンとして、軸流ファン７２０を備え、複数のフィン４２によって形成される冷却風流路Ｆに軸流ファン７２０からの風を送る送風ダクト７３０と、冷却風流路Ｆを通過した風を排出する排気ダクト７３２とが配設されている。
【００５８】
このように、実施形態２に係るプロジェクタ１００２は、実施形態１に係るプロジェクタ１０００とは、光源装置の構成及びファンの種類が異なるが、実施形態１に係るプロジェクタ１０００の場合と同様に、ヒートシンク４０における複数のフィン４２は、ＬＥＤ１０が配置される側に向けて突出した構造を有するため、さらなる小型化を図りつつ、ＬＥＤで発生する熱に起因してＬＥＤの輝度や寿命が低下するのを抑制することが可能なプロジェクタとなる。
【００５９】
実施形態２に係るプロジェクタ１００２は、光源装置の構成及びファンの種類が異なる点以外の点では、実施形態１に係るプロジェクタ１０００と同様の構成を有するため、実施形態１に係るプロジェクタ１０００が有する効果のうち該当する効果をそのまま有する。
【００６０】
［実施形態３］
図３は、実施形態３に係るプロジェクタ１００４の光学系を示す図である。なお、図３において、図１（ａ）と同一の部材については同一の符号を付し、詳細な説明は省略する。
【００６１】
実施形態３に係るプロジェクタ１００４は、基本的には実施形態１に係るプロジェクタ１０００とよく似た構成を有するが、電気光学変調装置の種類が、実施形態１に係るプロジェクタ１０００とは異なる。
【００６２】
すなわち、実施形態３に係るプロジェクタ１００４においては、図３に示すように、実施形態１で説明したマイクロミラー型光変調装置４００に代えて、液晶装置４０２を用いている。また、後述する偏光変換ロッド１５０と液晶装置４０２との間には、入射側偏光板４１０が介在配置され、液晶装置４０２と投写光学系６１０との間には、射出側偏光板４２０が介在配置されている。
【００６３】
液晶装置４０２は、画像情報に応じて照明光束を変調するものであり、照明装置１００の照明対象となる。
液晶装置４０２は、一対の透明なガラス基板に電気光学物質である液晶を密閉封入したものであり、例えば、ポリシリコンＴＦＴをスイッチング素子として、与えられた画像情報に従って、入射側偏光板４１０から射出された１種類の直線偏光の偏光方向を変調する。
【００６４】
また、実施形態３に係るプロジェクタ１００４においては、マイクロミラー型光変調装置４００に代えて液晶装置４０２を用いたことにともない、実施形態１で説明したロッド１３０に代えて、偏光変換ロッド１５０を用いている。
【００６５】
偏光変換ロッド１５０は、光源装置１１０からの光を略１種類の直線偏光成分を有する光に変換する偏光変換部１４０と、偏光変換部１４０を通過した光をより均一な強度分布を有する光に変換する機能を有するロッド部１６０とを有する。
【００６６】
偏光変換部１４０は、光源装置１１０からの光のうちＰ偏光成分（第１の偏光成分）に係る光を透過しＳ偏光成分（第２の偏光成分）に係る光を反射する偏光分離面１４２と、偏光分離面１４２で反射されたＳ偏光成分に係る光を偏光分離面１４２を透過したＰ偏光成分に係る光に平行な方向に向けて反射する反射面１４４と、偏光分離面１４２に対応する位置に配置され、Ｐ偏光成分に係る光をＳ偏光成分に係る光に変換する位相差板としてのλ／２板１４６とを有する。偏光変換部１４０の偏光変換機能により、光源装置１１０からの光をＳ偏光成分に係る光に揃えてロッド部１６０に射出することが可能となる。
【００６７】
なお、λ／２板１４６を、偏光分離面１４２に対応する位置ではなく反射面１４４に対応する位置に配置してもよい。この場合には、ロッド部１６０に入射する光をＰ偏光成分に係る光に揃えることが可能となる。
また、偏光変換部１４０は、Ｐ偏光成分に係る照明光束を透過しＳ偏光成分に係る照明光束を反射する偏光分離面１４２を、Ｓ偏光成分に係る照明光束を透過しＰ偏光成分に係る照明光束を反射する他の偏光分離面に替えることも可能である。この場合、λ／２板１４６を他の偏光分離面に対応する位置に配置すれば、ロッド部１６０に入射する光をＰ偏光成分に係る光に揃えることが可能となり、λ／２板１４６を反射面１４４に対応する位置に配置すれば、ロッド部１６０に入射する光をＳ偏光成分に係る光に揃えることが可能となる。
【００６８】
ロッド部１６０は、偏光変換部１４０からの光を内面で多重反射させることにより、偏光変換部１４０からの光をより均一な強度分布を有する光に変換する機能を有する光学部材である。ロッド部１６０は、例えば内面全反射タイプの中実のガラスロッドからなる。
【００６９】
このように、実施形態３に係るプロジェクタ１００４は、実施形態１に係るプロジェクタ１０００とは、電気光学変調装置の種類が異なるが、実施形態１に係るプロジェクタ１０００の場合と同様に、ヒートシンク３０における複数のフィン３２は、ＬＥＤ１０が配置される側に向けて突出した構造を有するため、さらなる小型化を図りつつ、ＬＥＤで発生する熱に起因してＬＥＤの輝度や寿命が低下するのを抑制することが可能なプロジェクタとなる。
【００７０】
実施形態３に係るプロジェクタ１００４は、電気光学変調装置の種類が異なる点以外の点では、実施形態１に係るプロジェクタ１０００と同様の構成を有するため、実施形態１に係るプロジェクタ１０００が有する効果のうち該当する効果をそのまま有する。
【００７１】
［実施形態４］
図４は、実施形態４に係るプロジェクタ１００６の光学系を示す図である。なお、図４において、図１（ａ）及び図３と同一の部材については同一の符号を付し、詳細な説明は省略する。
【００７２】
実施形態４に係るプロジェクタ１００６は、照明装置としてそれぞれが異なる色光を射出する３つの照明装置を備える点で、実施形態３に係るプロジェクタ１００４とは異なる。
【００７３】
実施形態４に係るプロジェクタ１００６は、図４に示すように、照明装置として、赤色光を射出する照明装置１０４Ｒと、緑色光を射出する照明装置１０４Ｇと、青色光を射出する照明装置１０４Ｂとを備える。
【００７４】
赤色光用の照明装置１０４Ｒは、赤色光を射出するＬＥＤ１０Ｒを有する光源装置１１４Ｒを有する。緑色光用の照明装置１０４Ｇは、緑色光を射出するＬＥＤ１０Ｇを有する光源装置１１４Ｇを有する。青色光用の照明装置１０４Ｂは、青色光を射出するＬＥＤ１０Ｂを有する光源装置１１４Ｂを有する。
これら３つの照明装置１０４Ｒ，１０４Ｇ，１０４Ｂが、３つの液晶装置４０２Ｒ，４０２Ｇ，４０２Ｂの前段にそれぞれ配置されている。
【００７５】
なお、照明装置１０４Ｒ，１０４Ｇ，１０４Ｂにおけるその他の構成（レンズ１２０Ｒ，１２０Ｇ，１２０Ｂ、偏光変換ロッド１５０Ｒ，１５０Ｇ，１５０Ｂなど）については、実施形態１及び３で説明したものとほぼ同じであるため、詳細な説明は省略する。
【００７６】
また、実施形態４に係るプロジェクタ１００６においては、各光源装置１１４Ｒ，１１４Ｇ，１１４Ｂの冷却風流路Ｆを送風ダクト及び排気ダクトを介して接続し、１つのファンを用いて各光源装置１１４Ｒ，１１４Ｇ，１１４Ｂの冷却風流路Ｆに送風してもよいし、複数のファンを用いて各光源装置１１４Ｒ，１１４Ｇ，１１４Ｂの冷却風流路Ｆにそれぞれ送風してもよい。冷却風流路Ｆに接続される送風ダクト及び排気ダクトの構成は、ファンの数及び配置に合わせた構成とすることが好ましい。
【００７７】
実施形態４に係るプロジェクタ１００６においては、照明装置としてそれぞれが異なる色光を射出する３つの照明装置を備えることにともない、３つの液晶装置４０２Ｒ，４０２Ｇ，４０２Ｂによって変調された色光を合成する色合成光学系としてのクロスダイクロイックプリズム５００をさらに備える。
【００７８】
クロスダイクロイックプリズム５００は、射出側偏光板４２０Ｒ，４２０Ｇ，４２０Ｂから射出された色光ごとに変調された光学像を合成してカラー画像を形成する光学素子である。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００７９】
クロスダイクロイックプリズム５００から射出されたカラー画像は、投写光学系６１０によって拡大投写され、スクリーンＳＣＲ上で大画面画像を形成する。
【００８０】
このように、実施形態４に係るプロジェクタ１００６は、実施形態３に係るプロジェクタ１００４とは、照明装置としてそれぞれが異なる色光を射出する３つの照明装置を備える点で異なるが、実施形態１及び３に係るプロジェクタ１０００，１００４の場合と同様に、ヒートシンク３０Ｒ，３０Ｇ，３０Ｂにおける複数のフィン３２Ｒ，３２Ｇ，３２Ｂは、ＬＥＤ１０Ｒ，１０Ｇ，１０Ｂが配置される側に向けて突出した構造を有するため、さらなる小型化を図りつつ、ＬＥＤで発生する熱に起因してＬＥＤの輝度や寿命が低下するのを抑制することが可能なプロジェクタとなる。
【００８１】
実施形態４に係るプロジェクタ１００６は、照明装置としてそれぞれが異なる色光を射出する３つの照明装置を備える点以外の点では、実施形態１及び３に係るプロジェクタ１０００，１００４と同様の構成を有するため、実施形態１及び３に係るプロジェクタ１０００，１００４が有する効果のうち該当する効果をそのまま有する。
【００８２】
以上、本発明の光源装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【００８３】
（１）上記実施形態１〜３に係るプロジェクタ１０００〜１００４においては、発光素子として、赤色光、緑色光及び青色光をそれぞれ射出する複数のＬＥＤチップを有するＬＥＤ１０を用い、時分割駆動回路によって複数のＬＥＤチップを時分割駆動する場合を例示して説明したが、本発明はこれに限定されるものではない。例えば、発光素子として、白色光を射出するＬＥＤチップを有するＬＥＤを用いるとともに、赤色光、緑色光及び青色光のカラーフィルタを有するカラーホイールを偏光変換ロッドの前段又は後段に配置して、カラーホイールを透過した色光を電気光学変調装置（マイクロミラー型光変調装置又は液晶装置）で光変調するようにしてもよい。
【００８４】
（２）上記各実施形態に係るプロジェクタ１０００〜１００６においては、発光素子としてＬＥＤを用いたが、本発明はこれに限定されるものではなく、ＬＤ（レーザダイオード）や有機ＥＬ素子を用いることとしてもよい。
【００８５】
（３）上記各実施形態に係るプロジェクタ１０００〜１００６においては、ロッド１３０及び偏光変換ロッド１５０として、中実のロッド及び中実のロッド部を有する偏光変換ロッドを用いたが、本発明はこれに限定されるものではなく、中空のロッド及び中空のロッド部を有する偏光変換ロッドを用いてもよい。また、上記各実施形態に係るプロジェクタ１０００〜１００６においては、光均一化光学系として、ロッド部材からなるロッドインテグレータ光学系を用いたが、本発明はこれに限定されるものではなく、レンズアレイからなるレンズインテグレータ光学系を用いてもよい。
【００８６】
（４）上記実施形態３及び４に係るプロジェクタ１００４、１００６は透過型のプロジェクタであるが、本発明はこれに限定されるものではなく、反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置のように光変調手段としての電気光学変調装置が光を反射するタイプであることを意味している。反射型のプロジェクタにこの発明を適用した場合にも、透過型のプロジェクタと同様の効果を得ることができる。
【００８７】
（５）上記実施形態４に係るプロジェクタ１００６においては、３つの液晶装置４０２Ｒ，４０２Ｇ，４０２Ｂを用いたプロジェクタを例示して説明したが、本発明はこれに限定されるものではなく、２つ又は４つ以上の液晶装置を用いたプロジェクタにも適用可能である。
【００８８】
（６）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【００８９】
【図１】実施形態１に係る光源装置１１０及びプロジェクタ１０００を説明するために示す図。
【図２】実施形態２に係るプロジェクタ１００２における光源装置１１２を説明するために示す図。
【図３】実施形態３に係るプロジェクタ１００４の光学系を示す図。
【図４】実施形態４に係るプロジェクタ１００６の光学系を示す図。
【符号の説明】
【００９０】
１０，１０Ｒ，１０Ｇ，１０Ｂ…ＬＥＤ、２０，２０Ｒ，２０Ｇ，２０Ｂ…支持基板、３０，３０Ｒ，３０Ｇ，３０Ｂ，４０…ヒートシンク、３２，３２Ｒ，３２Ｇ，３２Ｂ，４２…フィン、３４，３４Ｒ，３４Ｇ，３４Ｂ，４４…熱伝導部材、１００，１０４Ｒ，１０４Ｇ，１０４Ｂ，１０６Ｒ，１０６Ｂ…照明装置、１１０，１１２，１１４Ｒ，１１４Ｇ，１１４Ｂ…光源装置、１２０，１２０Ｒ，１２０Ｇ，１２０Ｂ…レンズ、１３０…ロッド、１４０，１４０Ｒ，１４０Ｇ，１４０Ｂ…偏光変換部、１４２…偏光分離面、１４４…反射面、１４６…λ／２板、１５０，１５０Ｒ，１５０Ｇ，１５０Ｂ…偏光変換ロッド、１６０，１６０Ｒ，１６０Ｇ，１６０Ｂ…ロッド部、３００…リレー光学系、３１０…リレーレンズ、３１２…反射ミラー、３１４…集光レンズ、４００…マイクロミラー型光変調装置、４０２，４０２Ｒ，４０２Ｇ，４０２Ｂ…液晶装置、４１０，４１０Ｒ，４１０Ｇ，４１０Ｂ…入射側偏光板、４２０，４２０Ｒ，４２０Ｇ，４２０Ｂ…射出側偏光板、５００…クロスダイクロイックプリズム、６００，６１０…投写光学系、７００…ブロアファン、７１０，７３０…送風ダクト、７１２，７３２…排気ダクト、７２０…軸流ファン、１０００，１００４，１００６…プロジェクタ、Ｆ…冷却風流路、ＯＣ…システム光軸、ＳＣＲ…スクリーン
【図３】
2008181776.tif 000003
【図１】
2008181776.tif 000004
【図２】
2008181776.tif 000005
【図４】
2008181776.tif 000006